(57)【特許請求の範囲】
【請求項１】
記入欄を有する記入片と、
折り線を介して前記記入片に接続され、前記折り線で折られた閉状態で前記記入片の記入欄を隠蔽可能な隠蔽片とを備え、
前記隠蔽片は、前記隠蔽片を形成する辺のうち折り線以外の少なくとも一辺の縁部に設けられた辺部粘着領域と、前記隠蔽片のコーナ部において、前記辺部粘着領域の端部に連続した状態、又は、前記辺部粘着領域の端部から離れた状態で設けられたコーナ部粘着領域とを備え、
前記記入片は、
前記折り線を対称軸として前記辺部粘着領域に対応する領域である辺部被着領域と、
前記辺部被着領域の一部と重なるようにして設けられた辺部剥ぎ取り領域と、
厚さ方向に貫通しない切り込みが、前記辺部剥ぎ取り領域と前記記入片の前記辺部剥ぎ取り領域以外の領域との境界に設けられた非貫通部と、
前記辺部被着領域の一部に重なるとともに、前記非貫通部の一部に重なる領域に剥離剤が塗布された辺部剥離領域と、
前記折り線を対称軸として前記コーナ部粘着領域に対応する領域であるコーナ部被着領域と、
前記記入片のコーナ部を形成する二辺の縁部に接するとともに、前記コーナ部被着領域の一部と重なるようにして設けられたコーナ部剥ぎ取り領域と、
厚さ方向に貫通しない切り込みが、前記コーナ部剥ぎ取り領域と前記記入片の前記コーナ部剥ぎ取り領域以外の領域との境界に設けられ、一部が前記コーナ部被着領域に重なるコーナ部非貫通部と、
前記コーナ部非貫通部に重なり、前記コーナ部非貫通部に沿うようにして前記コーナ部非貫通部の切り込みよりも太い幅により剥離剤が塗布されたコーナ部剥離領域とを備えること、
を特徴とする隠蔽媒体。
【請求項２】
請求項１に記載の隠蔽媒体において、
前記非貫通部は、前記辺部剥ぎ取り領域の全周囲を囲んでいること、
を特徴とする隠蔽媒体。
【請求項３】
請求項１に記載の隠蔽媒体において、
前記辺部剥ぎ取り領域は、前記記入片の辺の縁部にまで及んでおり、
前記非貫通部は、前記辺部剥ぎ取り領域の前記記入片の端縁以外の外周を囲んでいること、
を特徴とする隠蔽媒体。
【発明の詳細な説明】
【技術分野】
【０００１】
本発明は、記入した情報を隠蔽する隠蔽媒体に関するものである。
【背景技術】
【０００２】
従来、一方の紙片の一部を他方の紙片に粘着させて隠蔽し、開封の際には一方の紙片の一部に孔を開けることにより、開封履歴として利用する情報隠蔽用シートがあった（例えば特許文献１）。
しかし、従来の情報隠蔽用シートは、紙片に孔を開けてしまうので、紙片の厚さの変化が大きい。このような厚さの変化は、例えば、情報隠蔽用シートの記載内容をシートフィード付きのスキャナ等の読み取り装置で読み取る場合に、装置内の紙詰まりの原因等になったりする。
【先行技術文献】
【特許文献】
【０００３】
【特許文献１】特許第４７７０５７４号公報
【発明の概要】
【発明が解決しようとする課題】
【０００４】
本発明の課題は、開封状態において、厚さの変化を低減した隠蔽媒体を提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
・第１の発明は、記入欄を有する記入片（２０，２２０，３２０）と、折り線（５）を介して前記記入片に接続され、前記折り線で折られた閉状態で前記記入片の記入欄を隠蔽可能な隠蔽片（１０，２１０，３１０）とを備え、前記隠蔽片は、辺の縁部のうち折り線以外の少なくとも１つに設けられた辺部粘着領域（１３，１４，１５，２１３，２１４，２１５）を備え、前記記入片は、厚さ方向に貫通しない非貫通部（３２，４２，５２，３３２，３４２，３５２）に囲まれ、閉状態において前記辺部粘着領域に粘着する領域である辺部被着領域（２３，２４，２５，２２３，２２４，２２５）の一部に重なる辺部剥ぎ取り領域（３１，４１，５１，３３１，３４１，３５１）と、前記辺部剥ぎ取り領域から続いて剥離する領域に設けられ、前記辺部被着領域の一部に重なり、閉状態において前記辺部粘着領域の粘着剤が剥離可能に積層される辺部剥離領域（３３，４３，５３，３３３，３４３，３５３）とを備えること、を特徴とする隠蔽媒体である。
・第２の発明は、第１の発明の隠蔽媒体において、前記非貫通部（３２，４２，５２，３３２，３４２，３５２）のうち前記辺部剥ぎ取り領域（３１，４１，５１，３３１，３４１，３５１）の剥ぎ取り開始のきっかけとなる部分（３１ａ）は、前記辺部被着領域（２３，２４，２５，２２３，２２４，２２５）の内側に位置すること、を特徴とする隠蔽媒体である。
・第３の発明は、第１の発明の隠蔽媒体において、前記辺部剥ぎ取り領域（３３１，３４１，３５１）は、前記辺まで連続していること、を特徴とする隠蔽媒体である。
・第４の発明は、第１から第３のいずれかの発明の隠蔽媒体において、前記隠蔽片（１０，２１０，３１０）は、コーナ部に設けられたコーナ部粘着領域（１６，１７，２１６，２１７）を備え、前記記入片（２０，２２０，３２０）は、前記非貫通部（６２，７２）で囲まれ、閉状態において前記コーナ部粘着領域に粘着する領域であるコーナ部被着領域（２６，２７，２２６，２２７）の一部に重なるコーナ部剥ぎ取り領域（６１，７１）と、前記コーナ部剥ぎ取り領域から続いて剥離する領域に設けられ、前記コーナ部被着領域の一部に重なり、閉状態において前記コーナ部粘着領域の粘着剤が剥離可能に積層されるコーナ部剥離領域（６３，７３）とを備えること、を特徴とする隠蔽媒体である。
【発明の効果】
【０００７】
本発明によれば、開封状態において、厚さの変化を低減した隠蔽媒体を提供できる。
【図面の簡単な説明】
【０００８】
【図１】第１実施形態の隠蔽媒体１の開状態を説明する図である。
【図２】第１実施形態の各剥ぎ取り領域３１，４１，５１，６１，７１近傍の拡大図である。
【図３】第１実施形態の隠蔽媒体１の閉状態を説明する図である。
【図４】第１実施形態のコーナ部剥ぎ取り領域６１近傍、辺部剥ぎ取り領域３１近傍の剥離を説明する図である。
【図５】第１実施形態のコーナ部剥ぎ取り領域７１近傍の剥離を説明する図である。
【図６】第１実施形態の開封状態の隠蔽媒体１を説明する図である。
【図７】第１実施形態の隠蔽媒体１を、辺側から開封する態様を説明する図である。
【図８】第２実施形態の隠蔽媒体２０１の開状態を上面から見た図（図１（Ａ）に対応する図）である。
【図９】第３実施形態の隠蔽媒体３０１を説明する図である。
【発明を実施するための形態】
【０００９】
以下、図面等を参照して、本発明の実施形態について説明する。
（第１実施形態）
図１は、第１実施形態の隠蔽媒体１の開状態を説明する図である。
図１（Ａ）は、隠蔽媒体１を上面から見た図である。
図１（Ｂ）は、図１（Ａ）のＢ−Ｂ部断面図である。
図１（Ｃ）は、図１（Ａ）のＣ−Ｃ部断面図である。
図２は、第１実施形態の各剥ぎ取り領域３１，４１，５１，６１，７１近傍の拡大図である。
図３は、第１実施形態の隠蔽媒体１の閉状態を説明する図である。
図３（Ａ）は、隠蔽媒体１を隠蔽片１０側から見た図である。
図３（Ｂ）は、図３（Ａ）に粘着パターンを重ねて示す図である。
図３（Ｃ）は、図３（Ｂ）のＣ−Ｃ部断面図である。
図３（Ｄ）は、図３（Ｂ）のＤ−Ｄ部断面図である。
実施形態、図面では、説明と理解を容易にするために、ＸＹＺ直交座標系を設けて説明する。この座標系は、図１の状態を基準に、左右方向Ｘ（左側Ｘ１、右側Ｘ２）、縦方向Ｙ（下側Ｙ１、上側Ｙ２）、厚さ方向Ｚ（下面側Ｚ１、上面側Ｚ２）を表す。
図面では、適宜、隠蔽媒体１の厚さ方向Ｚの構成、各部の構成を誇張して図示する。
また、隠蔽媒体１を閉じる前の開いた状態（図１の状態）を開状態といい、隠蔽媒体１を折り線５で折って粘着剤で封をして閉じた状態（図３の状態）を閉状態といい、閉状態から開封した状態（図６の状態）を開封状態という。
さらに、隠蔽片１０の上面の粘着力の分布を、粘着パターンという。
【００１０】
図１に示すように、隠蔽媒体１は、例えば隠蔽葉書等の通信用隠蔽媒体である。つまり、隠蔽媒体１は、送付元が記入した情報を隠蔽し、配達者（配送業者等）が配達先に配達するものである。
隠蔽媒体１の材質は、例えば上質紙等である。
隠蔽媒体１は、隠蔽片１０、記入片２０を備える。
隠蔽片１０、記入片２０は、１枚の上質紙等に、縦方向Ｙに平行な折り線５（例えば、押罫、ミシン目等）を加工したものである。隠蔽片１０、記入片２０は、折り線５を介して接続されている。
【００１１】
以下、隠蔽媒体１の構成を説明しながら、粘着パターンについて説明する。
（隠蔽片１０）
隠蔽片１０の外形と、記入片２０の外形とは、同一である。このため、隠蔽片１０は、閉状態において、記入片２０の記入欄２１（後述する）を隠蔽できる。
隠蔽片１０の上面は、粘着力が異なる内粘着領域１１、縁部粘着領域１２を備える。
内粘着領域１１は、粘着剤１１ａが露出した領域である。
内粘着領域１１は、記入欄２１よりも大きな領域であり、かつ、閉状態において記入欄２１を覆う。内粘着領域１１は、隠蔽片１０の外形よりも一回り小さい。
内粘着領域１１の粘着力は、記入片２０を破壊せずに剥離できる程度であればよい。
【００１２】
開状態では、粘着剤１１ａ，１２ａの保護等のために、隠蔽片１０の上面には、隠蔽片１０と同様な大きさの剥離紙６が積層されている。この剥離紙６には、シリコン樹脂等を含んだ剥離層が設けられている。このため、剥離紙６を剥離後に露出した粘着剤１１ａ，１２ａは、粘着性を維持する。
【００１３】
縁部粘着領域１２は、記入片２０の縁部に粘着するための粘着剤１２ａが露出した領域である。
縁部粘着領域１２は、辺部粘着領域１３，１４，１５、コーナ部粘着領域１６，１７を備える。
３つの辺部粘着領域１３，１４，１５は、隠蔽片１０の縁部のうち折り線５以外の３辺部（つまり左辺、下辺、上辺）の縁部に、帯状に連続している。粘着領域１２は、隠蔽片１０の３辺からそれぞれ数ｍｍ程度離れて配置されている。なお、辺部粘着領域１３が設けられた左辺縁部は、開封時には開封側になる。
コーナ部粘着領域１６，１７は、縁部粘着領域１２のコーナ部の領域である。なお、コーナ部粘着領域１６，１７とは、縁部粘着領域１２のうちコーナ及びその近傍の領域の概念であり、辺部粘着領域１３，１４，１５の端部の領域を含む概念である。
【００１４】
縁部粘着領域１２の粘着力は、後述するように、剥ぎ取り領域３１，４１，５１，６１，７１の表層を、剥離することなく剥ぎ取り可能な保持力を有する。
縁部粘着領域１２の粘着力は、内粘着領域１１の粘着力よりも強いことが好適であるが、これに限定されることはない。
また、各粘着領域１１，１２の粘着層の層構成は、上記粘着パターンを実現できるものであれば、いずれの構成を用いてもよい。例えば、粘着領域１１，１２の粘着剤１１ａ，１２ａを共通にして、内粘着領域１１では粘着剤を網点印刷し、一方、縁部粘着領域１２では粘着剤をベタ印刷することにより、粘着領域１１，１２での粘着力を調整してもよい。
【００１５】
（記入片２０）
記入片２０は、記入欄２１、縁部被着領域２２、辺部剥ぎ取り領域３１，４１，５１、辺部剥離領域３３，４３，５３、コーナ部剥ぎ取り領域６１，７１、コーナ部剥離領域６３，７３を備える。
【００１６】
記入欄２１は、送信元が隠蔽情報（例えば銀行口座のキャッシュカードのパスワード等）を筆記具等で記入するための欄である。
縁部被着領域２２は、縁部粘着領域１２に対応した領域であり、つまり、閉状態において縁部粘着領域１２に粘着する領域である。図面には、適宜、縁部被着領域２２を二点鎖線で示す。
縁部被着領域２２は、辺部被着領域２３，２４，２５、コーナ部被着領域２６，２７を備える。
辺部被着領域２３，２４，２５は、それぞれ、隠蔽片１０の辺部粘着領域１３，１４，１５に対応した領域である。コーナ部被着領域２６，２７は、それぞれ、隠蔽片１０のコーナ部粘着領域１６，１７に対応した領域である。
【００１７】
各剥ぎ取り領域３１，４１，５１，６１，７１は、各非貫通部３２，４２，５２，６２，７２に囲まれた領域である。
非貫通部３２，４２，５２，６２，７２は、記入片２０を、厚さ方向Ｚに貫通しない切り込みであり、つまり、上面から厚さ方向Ｚの途中の深さまで切り込まれている。
各剥離領域３３，４３，５３，６３，７３には、シリコン樹脂等を含んだ剥離剤８０が塗布されている。このため、隠蔽片１０の辺部粘着領域１３の粘着剤１２ａは、各剥離領域３３，４３，５３，６３，７３に殆んど粘着せず、各剥離領域３３，４３，５３，６３，７３から容易に剥離する。
なお、図面には、便宜上、剥離剤８０は、記入片２０に埋め込められたように示すが、実際には、記入片２０に塗布されることにより、積層されている。
【００１８】
図１（Ａ）、図２（Ｅ）に示すように、辺部剥ぎ取り領域３１は、記入片２０の右辺縁部に設けられている。辺部剥ぎ取り領域３１の外形は、非貫通部３２に囲まれた長方形又は正方形である。
非貫通部３２のうち２辺は、辺部被着領域２３の左側Ｘ１の辺（内側の辺）に交差している。つまり、辺部剥ぎ取り領域３１は、辺部被着領域２３の内側の辺を跨って配置される。このため、辺部剥ぎ取り領域３１の一部（外側部分）と、辺部被着領域２３の一部（内側部分）とは、重複している。
【００１９】
辺部剥離領域３３は、非貫通部３２の一部（つまり辺部剥ぎ取り領域３１の外形の一部）に沿って非貫通部３２に重なるように配置されている。辺部剥離領域３３は、Ｕ字状の領域である。
辺部剥離領域３３と辺部被着領域２３との位置関係では、辺部剥離領域３３は、辺部被着領域２３に重なる重複領域３６ａと、領域３６ａから左側Ｘ１（記入片２０の内側）に向けて延びるように設けられ辺部被着領域２３に重ならない領域３６ｂとを備える。
一方、辺部剥離領域３３と辺部剥ぎ取り領域３１との位置関係では、辺部剥離領域３３は、辺部剥ぎ取り領域３１に重なるＵ字状の重複領域３６ｃと、辺部剥ぎ取り領域３１に重ならないＵ字状の領域３６ｄとを備える。重複領域３６ｃは、辺部剥ぎ取り領域３１の内側であり、また、領域３６ｄは、辺部剥ぎ取り領域３１よりも外側である。
【００２０】
隠蔽媒体１は、領域３６ｂ、重複領域３６ｃを有するので、粘着剤１２ａの塗布領域、８０の塗布領域、非貫通部３２の加工位置の位置ずれを許容できる。これにより、隠蔽媒体１は、製造が容易である。
なお、領域３６ｂの左右方向Ｘの長さＬ３６ｂ、重複領域３６ｃの幅Ｌ３６ｃは、この位置ずれを吸収できる程度（例えば１ｍｍ程度）であればよい。このため、この長さは、十分に短い。
【００２１】
また、上記構成によって、辺部剥ぎ取り領域３１よりも外側であって非貫通部３２に連続する領域は、以下（ａ）、（ｂ）、（ｃ）の３つの領域を備える。
（ａ）辺部剥離領域３３の一部（外側部分の一部）であって、辺部被着領域２３（内側部分の一部）に重複する領域３３ａ
（ｂ）辺部剥離領域３３の一部（外側部分の一部）であって、辺部被着領域２３に重複しない領域３３ｂ
（ｃ）辺部剥離領域３３、辺部被着領域２３も存在しない領域３３ｃ
これらの領域は、後述するように、開封時において、隠蔽片１０が辺部剥ぎ取り領域３１から続いて剥離する領域を含む。
【００２２】
図２（Ｂ）、図２（Ａ）に示すように、辺部剥ぎ取り領域４１及び辺部剥離領域４３と、辺部剥ぎ取り領域５１及び辺部剥離領域５３とは、辺部剥ぎ取り領域３１及び辺部剥離領域３３と同様な構成が、下辺縁部と、上辺縁部とにそれぞれ設けられたものである。これらの詳細な説明は、省略する。
なお、実施形態では、辺部剥ぎ取り領域３１，４１，５１等は、記入片２０の各辺に１つずつ設ける例を説明するが、これに限定されない。辺部剥ぎ取り領域３１，４１，５１等は、各辺に複数設けてもよい。
【００２３】
図１（Ａ）、図２（Ｄ）に示すように、コーナ部剥ぎ取り領域６１は、右下コーナ部１０ａに設けられている。コーナ部剥ぎ取り領域６１の外形は、記入片２０右辺及び下辺と、非貫通部６２とに囲まれた長方形又は正方形である。
非貫通部６２の２辺は、コーナ部被着領域２６に交差している。
【００２４】
コーナ部剥離領域６３は、非貫通部６２（つまりコーナ部剥ぎ取り領域６１の外形の一部）に沿って、これらに重なるように配置されている。
コーナ部剥離領域６３とコーナ部剥ぎ取り領域６１との位置関係では、コーナ部剥離領域６３は、コーナ部剥ぎ取り領域６１に重なる重複領域６６ｃと、コーナ部剥ぎ取り領域６１に重ならない領域６６ｄとを備える。重複領域６６ｃは、コーナ部剥ぎ取り領域６１の内側の領域であり、また、領域６６ｄは、コーナ部剥ぎ取り領域６１よりも外側である。
隠蔽媒体１は、重複領域６６ｃを備えるので、製造時において、粘着剤１２ａの塗布領域、８０の塗布領域、非貫通部６２の加工位置の位置ずれを許容できる。
【００２５】
図２（Ｃ）に示すように、コーナ部剥ぎ取り領域７１及びコーナ部剥離領域７３は、コーナ部剥ぎ取り領域６１及びコーナ部剥離領域６３と同様な構成が、右上コーナ部１０ｂに設けられたものである。これらの詳細な説明は、省略する。
【００２６】
（使用方法）
図１から図６を参照しながら隠蔽媒体１の使用方法を説明する。
図４は、第１実施形態のコーナ部剥ぎ取り領域６１近傍、辺部剥ぎ取り領域３１近傍の剥離を説明する図である。
図５は、第１実施形態のコーナ部剥ぎ取り領域７１近傍の剥離を説明する図である。
なお、図４、図５には、剥離前の非貫通部３２，６２，７２を太線で示した。また、図４、図５には、隠蔽片１０の剥離が実際に発生している部分Ｅを太線で示し、図４（ａ）以外の図面では、剥離後の隠蔽片１０の紙片の図示を省略した。
図６は、第１実施形態の開封状態の隠蔽媒体１を説明する図である。
図６（Ａ）は、隠蔽媒体１を上面から見た図である。
図６（Ｂ）は、図６（Ａ）のＢ−Ｂ部断面図である。
図６（Ｃ）は、図６（Ａ）のＣ−Ｃ部断面図である。
【００２７】
（閉じ作業）
送信元の作業者は、記入欄２１に隠蔽情報を記入し、また、剥離紙６を剥がす（図１の矢印Ｂ１参照）。
作業者は、隠蔽媒体１を、折り線５で、上面が内側になるように折ることにより、隠蔽片１０、記入片２０を、各粘着領域１１，１２の粘着剤１１ａ，１２ａで粘着する（図１の矢印Ｂ２参照）。
【００２８】
図３に示すように、これにより、隠蔽媒体１は、開状態から閉状態へと閉じられる。開封する場合の開封側は、右側Ｘ２である。
閉状態では、各剥離領域３３，４３，５３，６３，７３は、縁部粘着領域１２に重なる。このため、閉状態では、縁部粘着領域１２の粘着剤１２ａは、縁部被着領域２２に密着し、各剥離領域３３，４３，５３，６３，７３に積層した状態になる。
作業者は、閉じた隠蔽媒体１を、投函したりする。配達者は、隠蔽媒体１を配達先に配達する。
【００２９】
ここで、閉状態において、隠蔽片１０、記入片２０の大部分は、内粘着領域１１の粘着剤１１ａによって粘着されている。
また、各剥離領域３３，４３，５３，６３，７３の面積は、縁部被着領域２２の面積と比較すると十分に小さい。このため、隠蔽片１０の粘着剤１２ａは、記入片２０の縁部被着領域２２のほぼ全面に、直接接触した状態で粘着する。そのため、隠蔽媒体１の右辺縁部、下辺縁部、上辺縁部は、十分に強い粘着力で粘着する。
これにより、隠蔽媒体１は、配送時等において、隠蔽媒体１が不意に開いてしまうことを十分に抑制できる。また、隠蔽媒体１は、周囲に粘着剤１１ａ，１２ａが露出していないので、配送時等において、他の部材に付着することを抑制できる。
【００３０】
（開封作業）
配達先の作業者（受け取り人）は、配達者から閉状態の隠蔽媒体１を受け取ると、これを開く。
作業者は、隠蔽媒体１を、隠蔽片１０の右下コーナ部１０ａ、右上コーナ部１０ｂ（図３（Ａ）参照）のいずれからでも開封できる。
以下、右下コーナ部１０ａから開く例を説明する。
図３（Ａ）、図４（Ａ）に示すように、作業者は、隠蔽片１０の右下コーナ部１０ａを指でつまんで、左上に向けて引っ張るようにして、隠蔽片１０及び記入片２０を開く（矢印Ａ１参照）。
剥離は、右辺縁部を上側Ｙ２に向けて進み（矢印Ａ２参照）、下辺縁部を左側Ｘ１に向けて進む（矢印Ａ３参照）。また、右辺縁部を上側Ｙ２に向けて進む剥離が右上コーナ部１０ｂまで達した後に、作業者が、隠蔽片１０を見開くように隠蔽媒体１を開封することにより、剥離は、上辺縁部を左側Ｘ１に向けて進む（矢印Ａ４参照）。
【００３１】
（図３（Ａ）の矢印Ａ２：右辺を上側Ｙ２に向けて進む剥離）
（右下コーナ部１０ａの剥離）
（１）コーナ部剥ぎ取り領域６１
図４（Ａ）に示すように、記入片２０のコーナ部剥ぎ取り領域６１では、隠蔽片１０のコーナ部粘着領域１６の粘着力の作用によって、記入片２０の下辺端部及び右辺縁部から上面の表層の剥ぎ取りが始まる。つまり、コーナ部剥ぎ取り領域６１の表層は、記入片２０の下辺端部及び右辺縁部から基材破壊（被着体破壊）が発生する。これは、紙材の端部の表層は、破壊が開始しやすいという性質を有するからである。このように、紙面の表層が剥ぎ取られることを、「紙剥け」ともいう。
【００３２】
なお、コーナ部剥ぎ取り領域６１は、その全体が剥離する。すなわち、コーナ部剥ぎ取り領域６１のうちコーナ部被着領域２６に重複する領域６７ａと、コーナ部剥ぎ取り領域６１のうちコーナ部被着領域２６に重複しない領域６７ｂ，６７ｃとが一緒に剥離する。
その理由は、領域６７ｂの幅Ｌ６７ｂは、十分に短いからである。また、領域６７ｃには、カット線等がないので、領域６７ａから表層が連続して剥離するからである。
【００３３】
（２）コーナ部剥離領域６３
図４（Ｂ）に示すように、剥離は、続いてコーナ部剥離領域６３を進む。
コーナ部剥離領域６３では、隠蔽片１０のコーナ部粘着領域１６の粘着剤１２ａは、コーナ部剥離領域６３の剥離剤８０の作用によって、コーナ部剥離領域６３から容易に剥離する。このため、剥離がコーナ部剥ぎ取り領域６１からコーナ部剥離領域６３に移動する場合に、記入片２０の上面は、非貫通部６２から剥ぎ取られない。
【００３４】
上記（１）、（２）の作用によって、コーナ部剥ぎ取り領域６１の表層の剥ぎ取りは、非貫通部６２及び記入片２０の右辺までで終わる。
【００３５】
（３）コーナ部剥離領域６３から辺部剥離領域３３までの領域
剥離は、続いて、コーナ部剥離領域６３から辺部剥離領域３３までの領域を進む（図３（Ｂ）に示す矢印Ａ２ａ参照）。
この領域では、辺部粘着領域１３の粘着剤１２ａが、直接記入片２０の上面に粘着しているが、紙材の端部以外の上面は、端部からの剥離とは異なり、剥ぎ取られる現象が起き難いという性質を有する。このため、この領域では、記入片２０の上面の表層は、剥ぎ取られない。
【００３６】
（右辺縁部の剥離）
（４）辺部剥離領域３３のうち辺部剥ぎ取り領域３１の外側の領域３６ｄ
図４（Ｃ）に示すように、剥離は、続いて辺部剥離領域３３の領域３６ｄを進む。
隠蔽片１０は、剥離剤８０の作用によって、辺部剥離領域３３から容易に剥離する。
このため、領域３６ｄでは、辺部剥離領域３３の表層は、剥ぎ取られない。
（５）辺部剥ぎ取り領域３１
図４（Ｄ）に示すように、剥離は、続いて辺部剥ぎ取り領域３１を進む。
つまり、剥離は、「辺部剥ぎ取り領域３１の外側の領域３６ｄ」から「非貫通部３２」を通って「辺部剥ぎ取り領域３１の内側」に向けて進む。
辺部剥ぎ取り領域３１は、隠蔽片１０の縁部粘着領域１２の粘着力の作用によって、非貫通部３２から剥離する。非貫通部３２のうち辺部剥ぎ取り領域３１の剥ぎ取り開始のきっかけとなる剥ぎ取り開始部分３２ａは、辺部被着領域２３の内側に位置する。このため、辺部剥ぎ取り領域３１は、確実に、剥ぎ取りが開始する。
ここで、重複領域３６ｃでは、隠蔽片１０は、剥離剤８０の作用によって容易に剥離する。但し、前述したように、重複領域３６ｃの幅Ｌ３６ｃ（図２（Ｅ）参照）は、十分に短い。このため、辺部剥ぎ取り領域３１の全体が、一体で剥離する。
【００３７】
（６）辺部剥ぎ取り領域３１の外側の領域
図４（Ｅ）に示すように、剥離は、続いて、「辺部剥ぎ取り領域３１の内側」から「非貫通部３２」を通って「辺部剥ぎ取り領域３１の外側」に向けて進む。この領域は、辺部剥ぎ取り領域３１の外側の領域のうち、剥離進行方向の後側に位置する。
この領域は、以下（ａ）、（ｂ）、（ｃ）の３つの態様がある。
（ａ）領域３３ａ
隠蔽片１０の粘着剤１２ａは、領域３３ａの剥離剤８０の作用によって、容易に剥離する。このため、領域３３ａの表面は、剥ぎ取られない。
（ｂ）領域３３ｂ
領域３３ｂは、辺部粘着領域１３と重複しないので、記入片２０の表面は、剥ぎ取られない。
（ｃ）領域３３ｃ
上記（ｂ）と同様に、辺部粘着領域１３と重複しないので、記入片２０の表面は、非貫通部３２から剥ぎ取られない。
【００３８】
上記（４）から（６）の作用によって、辺部剥ぎ取り領域３１の表層３１ａの剥ぎ取りは、非貫通部３２の一部から始まり、その反対側の非貫通部３２までで終わる。
【００３９】
（７）剥離領域３３から剥離領域７３までの領域
剥離は、続いて、剥離領域３３から剥離領域７３までの領域を進む（図３（Ｂ）に示す矢印Ａ２ｂ参照）。
この領域の表層は、上記（３）と同様に、剥ぎ取られない。
【００４０】
（右上コーナ部１０ｂの剥離）
（８）コーナ部剥離領域７３のうちコーナ部剥ぎ取り領域７１よりも外側の領域
図５（Ａ）に示すように、剥離は、続いてコーナ部剥離領域７３を進む。
上記（２）と同様に、隠蔽片１０は、剥離剤８０の作用によって、コーナ部剥離領域７３から容易に剥離する。このため、コーナ部剥離領域７３の表層は、剥ぎ取られない。
（９）コーナ部剥ぎ取り領域７１
剥離は、続いてコーナ部剥ぎ取り領域７１を進む。
上記（１）と同様に、コーナ部剥ぎ取り領域７１は、隠蔽片１０の縁部粘着領域１２の粘着力の作用によって、非貫通部７２から剥ぎ取られる。また、表層の剥ぎ取りは、左側Ｘ１の非貫通部７２、記入片２０の上辺及び右辺までで終わる。
なお、コーナ部剥ぎ取り領域７１は、その全体が剥ぎ取られる。
その理由は、コーナ部剥ぎ取り領域７１とコーナ部剥離領域７３とが重複する領域７７ｃの幅Ｌ７７ｃが十分に短く、また、コーナ部剥ぎ取り領域７１の内側の領域７１ｃにはカット線等がないので、上記（１）と同様に、表層が連続して剥ぎ取られるからである。
【００４１】
（図３（Ａ）の矢印Ａ３：下辺を左側Ｘ１に向けて進む剥離）
下辺を左側Ｘ１に向けて進む剥離は、上記（３）から（７）と同様な作用が、左側Ｘ１に向けて起こる。これにより、辺部剥ぎ取り領域４１の表層が剥ぎ取られる。
（図３（Ａ）の矢印Ａ４：上辺を左側Ｘ１に向けて進む剥離）
上辺を左側Ｘ１に向けて進む剥離も、上記（３）から（７）と同様な作用が、左側Ｘ１に向けて起こる。これにより、辺部剥ぎ取り領域５１の表層が剥ぎ取られる。
【００４２】
なお、詳細な説明は省略するが、隠蔽媒体１を、右上コーナ部１０ｂから開く場合には、右縁部の剥離が上記（１）から（９）とは上下逆方向に進んで、各剥ぎ取り領域７１，３１，６１の表層が順に剥ぎ取られ、また、剥離が、左側Ｘ１に向けて進むことにより、辺部剥ぎ取り領域５１，４１の表層が剥ぎ取られる。
【００４３】
（内粘着領域１１の剥離）
内粘着領域１１の粘着力によっては、記入片２０の表面は、剥ぎ取られない。
これにより、記入片２０の記入欄２１は、開封状態において損傷がないので、配達先の作業者は、その記入内容を確認できる。
【００４４】
図６に示すように、隠蔽媒体１は、上記工程を経て正当に開いた開封状態では、記入片２０の剥ぎ取り領域３１，４１，５１，６１，７１の上面の表層３１ａ，４１ａ，５１ａ，６１ａ，７１ａが剥ぎ取られて、隠蔽片１０の縁部粘着領域１２の粘着剤１２ａに付着している。
配達先では、未開封の状態で記入片２０の表層３１ａ，４１ａ，５１ａ，６１ａ，７１ａの剥ぎ取りを確認することにより、送付元で閉じてから配達先で開かれるまでの間に、不正に開かれたか否かを確認できる。隠蔽媒体１は、不正に開いた後に閉じた場合にも、記入片２０の表層３１ａ，４１ａ，５１ａ，６１ａ，７１ａが剥ぎ取られた状態になり、また、剥ぎ取り領域３１，４１，５１，６１，７１が、浮いた状態になるからである。
また、コーナ部剥ぎ取り領域６１，７１は、右下コーナ部１０ａ、右上コーナ部１０ｂに設けられているので、不正に開封する者は、隠蔽媒体１には、開封履歴を残すための構造が設けられていることにすぐに気付く。このため、隠蔽媒体１は、不正な開封行為を、牽制する効果を奏する。
【００４５】
（不正に開封される場合）
図７は、第１実施形態の隠蔽媒体１を、辺側から開封する態様を説明する図である。
図７（Ａ）は、右辺側から開封を試みた例である。
図７（Ｂ）は、下辺側から開封を試みた例である。
図７（Ｃ）は、右辺側から開封される場合において、辺部剥ぎ取り領域３１の剥ぎ取りを説明する図である。
図７（Ａ）、図７（Ｂ）に示すように、不正に開封する者は、コーナ部１０ａ，１０ｂの開封履歴を残すための構造に気付いた場合等には、コーナ部１０ａ，１０ｂ側ではなく、辺側からの開封を試みる場合がある。
【００４６】
図７（Ｃ）に示すように、右辺側から開封する場合には、不正に開封する者がどの方向から開封を試みても、剥離の方向は、右側Ｘ２から左側Ｘ１への方向（つまり記入片２０の外側から内側に向けた方向）の成分を有する。
図７（Ｃ）には、例として、３方向の開封方向Ｆ１，Ｇ１，Ｈ１を示した。この場合、いずれの方向Ｆ１，Ｇ１，Ｈ１からであっても、剥離は、「辺部剥ぎ取り領域３１の外側の領域３６ｄ」から「非貫通部３２」を通って「辺部剥ぎ取り領域３１の内側」に向けて進む。この剥離の進み方は、上記（４）、（５）と同様である。
図７（Ｃ）に示すように、剥離は、方向Ｆ２，Ｇ２，Ｈ２に進むと、「辺部剥ぎ取り領域３１の内側」から「非貫通部３２」を通って「辺部剥ぎ取り領域３１の外側（つまり、領域３３ａ，３３ｂ，３３ｃ）」に向けて進む。この剥離の進み方は、上記（６）と同様である。
このため、いずれの方向からであっても、辺部剥ぎ取り領域３１の表層は、上記（４）から（６）と同様に、剥ぎ取られることになる。
【００４７】
なお、詳細な説明は省略するが、隠蔽媒体１を、下辺側又は上辺側から不正に開封する場合にも、剥離は、記入片２０の外側から内側に向けた方向になる。このため、この場合にも、上記右辺から開封しようとする場合と同様な作用が、下側Ｙ１から下側Ｙ２に向けて、又は下側Ｙ２から下側Ｙ１に向けて作用し、辺部剥ぎ取り領域４１又は辺部剥ぎ取り領域５１の表層が剥ぎ取られる。
このように、隠蔽媒体１は、各コーナ部１０ａ，１０ｂから開封された場合だけでなく、各辺から剥離された場合にも、開封履歴を残すことができる。
【００４８】
（開封状態での凹凸）
開封状態での隠蔽媒体１の上面の凹凸について説明する。
図６に示すように、開封状態では、記入片２０は、表層３１ａ，４１ａ，５１ａ，６１ａ，７１ａのみが剥ぎ取られて段３１ｂ，６１ｂ，７１ｂ等が形成され、また、隠蔽片１０の左縁部には、この段３１ｂ，６１ｂ，７１ｂに対応した段３１ｃ，６１ｃ，７１ｃ等が形成される。
このため、開封状態の隠蔽媒体１の上面は、凹凸が小さい。つまり、隠蔽媒体１は、孔を開けて開封履歴を残す形態に比べると、厚さの変化が少ない。
また、剥ぎ取り領域３１，４１，５１，６１，７１の面積は、十分に小さいので、開封状態の隠蔽媒体１の上面は、凹部、凸部の面積が少ない。
これにより、記入片２０の記入情報をシートフィード付きのスキャナ等の読み取り装置で読み取る場合に、装置内の紙詰まり等を抑制できる。なお、隠蔽片１０、記入片２０を、折り線５で分離し、記入片２０のみを読み取り装置で読み取れば、紙詰まり等の抑制効果を向上できる。
【００４９】
以上説明したように、本実施形態の隠蔽媒体１は、容易に開封でき、また、配送時等において、不正に開かれた場合にはその形跡を確実に残すことができる。さらに、隠蔽媒体１は、開封状態の上面の凹凸を少なくすることができる。
【００５０】
（第２実施形態）
次に、本発明の第２実施形態について説明する。
なお、以下の説明及び図面において、前述した第１実施形態と同様の機能を果たす部分には、同一の符号又は末尾（下２桁）に同一の符号を適宜付して、重複する説明を適宜省略する。
図８は、第２実施形態の隠蔽媒体２０１の開状態を上面から見た図（図１（Ａ）に対応する図）である。
【００５１】
隠蔽片２１０の縁部粘着領域の辺部粘着領域２１３，２１４，２１５、コーナ部粘着領域２１６，２１７は、連続した形態ではなく、互いに独立した領域である。このため、これらに対応した領域である辺部被着領域２２３，２２４，２２５、コーナ部被着領域２２６，２２７も独立している。
辺部粘着領域２１３，２１４，２１５、コーナ部粘着領域２１６，２１７は、各剥ぎ取り領域３１，４１，５１，６１，７１に対応した位置に配置されている。
【００５２】
上記形態であっても、隠蔽媒体２０１は、正当に開封した場合、不正に開封した場合に、第１実施形態と同様に、各剥ぎ取り領域３１，４１，５１，６１，７１の表層が剥ぎ取られる。これにより、隠蔽媒体２０１は、第１実施形態と同様に、送付先において正当に開封された場合には、記入片２２０に記入した隠蔽情報を確認でき、また、不正に開封された場合には開封履歴を残すことができる。
【００５３】
（第３実施形態）
次に、本発明の第３実施形態について説明する。
図９は、第３実施形態の隠蔽媒体３０１を説明する図である。
図９（Ａ）は、隠蔽媒体３０１の開状態を上面から見た図（図１（Ａ）に対応する図）である。
図９（Ｂ）は、隠蔽媒体３０１を、右辺側から開封する態様を説明する図（図７（Ｃ）に対応する図）である。
本実施形態の辺部剥ぎ取り領域３３１は、右辺まで連続している。つまり、非貫通部３３２は、記入片３２０の右辺まで連続している。
このため、辺部剥ぎ取り領域３３１は、３辺が非貫通部３３２、１辺が記入片３２０の右辺に囲まれている。
辺部剥離領域３３３は、辺部剥ぎ取り領域３３１と同様に、記入片３２０の右辺まで連続している。このため、辺部剥離領域３３３は、連続したＵ字状ではなく、２つに独立している。
【００５４】
（正当に開封される場合）
隠蔽媒体３０１は、送付先等において、正当に右下コーナ部１０ａ等から開封される場合には、剥離が右辺縁部に沿って進む（図９（Ａ）に示す矢印Ａ３２参照）。
辺部剥ぎ取り領域３３１近傍において、剥離は、「辺部剥ぎ取り領域３３１の外側の領域」から「非貫通部３３２」を通って「辺部剥ぎ取り領域３３１の内側」に向けて進む（第１実施形態の工程（４）、（５）参照）。
その後に、「辺部剥ぎ取り領域３３１の内側」から「非貫通部３３２」を通って「辺部剥ぎ取り領域３３１の外側」に向けて進む（第１実施形態の工程（６）参照）。
このように、辺部剥ぎ取り領域３３１近傍の剥離の進行は、第１実施形態と同様であり、辺部剥ぎ取り領域３３１の表層の全体が剥ぎ取られる。
他の辺部剥ぎ取り領域３４１，３５１の表層も、第１実施形態と同様に、剥ぎ取られる。
これにより、正当に開封した状態では、辺部剥ぎ取り領域３３１，３４１，３５１の表層、コーナ部剥ぎ取り領域６１，７１の表層が剥ぎ取られる。
【００５５】
（不正に開封される場合）
図９（Ｂ）の開封方向Ｆ１，Ｇ１，Ｈ１に示すように、右辺側から不正に開封する場合には、剥離の方向は、第１実施形態と同様に、右側Ｘ２から左側Ｘ１への方向の成分を有する。
ここで、開封方向Ｇ１，Ｈ１の場合は、剥離は、第１実施形態と同様に、「辺部剥ぎ取り領域３３１の外側の領域」から「非貫通部３３２」を通って「辺部剥ぎ取り領域３３１の内側」に向けて進む。このため、辺部剥ぎ取り領域３３１の表層の全体が剥離する。
また、開封方向Ｆ１のように、左右方向Ｘに平行又はほぼ平行に開封される場合でも、辺部剥ぎ取り領域３３１の表層の全体が剥離する。記入片３２０の右辺と、辺部粘着領域１３（辺部被着領域２３）までの長さＬ１３は、十分に短いからである。
【００５６】
このように、いずれの方向から開封された場合であっても、辺部剥ぎ取り領域３３１の表層は、剥ぎ取られる。
また、辺部剥ぎ取り領域３３１の表層が剥ぎ取られると、その領域では、粘着剤が再粘着せず、隠蔽片３１０の辺の一部が浮いた状態になる。このため、隠蔽媒体３０１は、不正に開封された履歴を、より明確に残すことができる。
なお、隠蔽媒体３０１が下辺側又は上辺側から不正に開封される場合には、辺部剥ぎ取り領域３４１又は辺部剥ぎ取り領域３５１の表層が、同様に剥ぎ取られる。
【００５７】
以上、本発明の実施形態について説明したが、本発明は前述した実施形態に限定されるものではなく、例えば、後述する変形形態等のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００５８】
（変形形態）
（１）実施形態において、隠蔽媒体は、送付元から配達先に、配達者によって配達される例を示したが、これに限定されない。
例えば、隠蔽媒体は、１つの施設内において、各部署で記入した隠蔽情報を、他の部署へと伝えるために利用されるものであってもよい。
また、隠蔽媒体は、クジ等に利用されるものでもよい。この場合には、クジの開催者が隠蔽情報として「当たり」、「はずれ」等と記入片に記入して閉じ、その後、クジの購入者等が開封すればよい。
【００５９】
（２）実施形態において、内粘着領域は、隠蔽片の各辺から離れて配置されている例を示したが、これに限定されない。内粘着領域は、隠蔽片の各辺の端部まで配置してもよく、つまり、隠蔽片の周囲端部まで設けてもよい。この場合には、隠蔽片及び記入片の周囲を密閉できる。これにより、閉状態の隠蔽媒体を取り扱う場合に、隠蔽片及び記入片間に他の部材が引っ掛かることを抑制できるので、隠蔽媒体が不意に開いてしまうこと等を抑制できる。なお、内粘着領域の粘着剤の粘着力は、十分に弱い。このため、この形態であっても、隠蔽媒体は、閉状態において、他の部材に付着することを抑制できる
【符号の説明】
【００６０】
１，２０１，３０１  隠蔽媒体
５  折り線
１０，２１０，３１０  隠蔽片
１２  縁部粘着領域
１３，１４，１５，２１３，２１４，２１５  辺部粘着領域
１６，１７，２１６，２１７  コーナ部粘着領域
２０，２２０，３２０  記入片
２２  縁部被着領域
２３，２４，２５，２２３，２２４，２２５  辺部被着領域
２６，２７，２２６，２２７  コーナ部被着領域
３１，４１，５１，３３１，３４１，３５１  辺部剥ぎ取り領域
６１，７１  コーナ部剥ぎ取り領域
３２，４２，５２，６２，７２，３３２，３４２，３５２  非貫通部
３２ａ  剥ぎ取り開始部分
３３，４３，５３，３３３，３４３，３５３  辺部剥離領域
６３，７３  コーナ部剥離領域
【図１】
0006492610.tif 000002
【図２】
0006492610.tif 000003
【図３】
0006492610.tif 000004
【図４】
0006492610.tif 000005
【図５】
0006492610.tif 000006
【図６】
0006492610.tif 000007
【図７】
0006492610.tif 000008
【図８】
0006492610.tif 000009
【図９】
0006492610.tif 000010